(57)【要約】【課題】記録ストリーム形式の異なるメディアが存在するために、ユーザが要望するダビングを高速化できない場合が存在する。【解決手段】ＡＶソースをＭＰＥＧ２トランスポートストリーム及びＭＰＥＧ２プログラムストリームとして出力するストリーム出力手段と、前記ストリーム出力手段の出力するストリームからトランスポートストリームまたはプログラムストリームを選択するストリーム選択手段と、前記ストリーム選択手段の選択したストリームを第一の記録媒体に記録する記録手段と、前記第一の記録媒体に記録されたストリームを第二の記録媒体に転送するストリーム転送手段とで構成されることを特徴とする。【選択図】図１
2007266651.tif 000002
【特許請求の範囲】
【請求項１】
ＡＶソースをＭＰＥＧ２トランスポートストリーム及びＭＰＥＧ２プログラムストリームとして出力するストリーム出力手段と、
前記ストリーム出力手段の出力するストリームからトランスポートストリームまたはプログラムストリームを選択するストリーム選択手段と、
前記ストリーム選択手段の選択したストリームを第一の記録媒体に記録する記録手段と、
前記第一の記録媒体に記録されたストリームを第二の記録媒体に転送するストリーム転送手段とで構成されることを特徴とするデータ記録装置。
【請求項２】
前記ＡＶソースは、少なくともデジタル放送ソースとアナログ放送ソースとを含むことを特徴とする請求項１記載のデータ記録装置。
【請求項３】
前記ストリーム出力手段は、前記第二の記録媒体の最大データ転送速度よりも遅いストリームを出力することを特徴とする請求項１または２記載のデータ記録装置。
【請求項４】
ダビングモード設定手段をさらに備え、
前記ストリーム選択手段は前記ダビングモード設定手段で設定されたダビングモードに基づいて、トランスポートストリームまたはプログラムストリームのいずれかを選択することを特徴とする請求項１記載のデータ記録装置
【請求項５】
第一の記録媒体に記録されたＡＶストリームを出力するストリーム読み出し手段と、
前記ＡＶストリームを第二の記録媒体に記録する複製生成手段と、
前記第二の記録媒体の特性に応じて、前記ストリーム出力手段が出力するストリームの特性を制御するストリーム制御手段とで構成されることを特徴とするデータ記録装置。
【請求項６】
前記ストリーム制御手段は、ストリームの転送レートの上限を前記第二の記録媒体の記録特性に応じて選択制御することを特徴とする請求項５記載のデータ記録装置。
【請求項７】
前記ストリーム制御手段は、ストリーム形式を前記第二の記録媒体の記録特性に応じて選択制御することを特徴とする請求項５または６記載のデータ記録装置。
【発明の詳細な説明】
【技術分野】
【０００１】
本発明は、複数の記録ストリーム形式に対応したハードディスク（以下、ＨＤＤとする）を内蔵した記録型ビデオディスク（以下、ＤＶＤとする）レコーダ等のデジタルＡＶデータ録画機器のダビング機能に関するものである。
【背景技術】
【０００２】
近年、ＨＤＤ内蔵ＤＶＤレコーダにおけるＨＤＤとＤＶＤとの間のダビング機能は、ユーザの利便性を高めるためにその高速化が商品差別化の大きな要素となっている。
【０００３】
ダビング速度の高速化を実現するためのアプローチとしては、第一にＨＤＤドライブとＤＶＤドライブのストリーム転送速度の向上が考えられる。また、第二にダビング実行時のさまざまなストリーム変換処理の排除が考えられ、例えばデータ圧縮やデータ伸長を行わずに、圧縮されたＡＶデータをそのまま直接コピーする方法が考案されている（例えば特許文献１参照）。
【０００４】
ＨＤＤ内蔵ＤＶＤレコーダにおいても、ＡＶソースの記録フォーマットをＤＶＤメディアの記録フォーマットであるＭＰＥＧ２プログラムストリーム（以下ＭＰＥＧ２-ＰＳとする）に合わせておき、このストリームをそのままＤＶＤメディアにデータ転送することにより、高速ダビングを実現している。
【０００５】
一方、近年普及が進んでいる国内のデジタル放送は、番組ソースのストリーム形式がＭＰＥＧ２トランスポートストリーム(以下、ＭＰＥＧ２−ＴＳとする）であり、次世代の大容量ディスクメディアとして注目されているブルレイディスク（Ｂｌｕ−ｒａｙ  Ｄｉｓｃ：以下、ＢＤとする）は、このソースを直接ストリーム記録できるようにするため、記録フォーマットとしてＭＰＥＧ２-ＴＳが採用されている。さらに、地上アナログ放送は２０１１年に停波が予定されており、それ以降は国内のテレビ放送はすべてデジタル放送に集約されることになる。
【０００６】
放送インフラとしてアナログ放送とデジタル放送が混在し、ディスクメディアとしてＤＶＤとＢＤが混在する今日では、ユーザメリットを考慮すると双方の放送ソースおよび記録メディアの記録再生に対応する録画機器を提供する必要がある。すなわち、デジタル放送およびＢＤの比率が高まっていくとしても、すでに記録済みのＤＶＤメディアのダビングや、例えばランニングコストが有利で再生互換性の高いＤＶＤ−Ｒへの記録再生対応が必要であると考えられる。
【０００７】
このため、内蔵ＨＤＤへの記録方法として、デジタル放送の高画質記録と従来のＤＶＤメディアとの互換性を考慮した以下のようなしくみが容易に考えられうる。すなわち、デジタル放送の記録は画質優先のためＭＰＥＧ２−ＴＳのダイレクト記録を基本とし、アナログ放送の記録は従来のＤＶＤメディアとの高速ダビングを含めた互換確保のため、従来どおりＭＰＥＧ２−ＰＳにエンコードして記録するしくみである。
【０００８】
しかしこのようなしくみでは、例えばＨＤＤにＭＰＥＧ２−ＰＳで記録されている番組をＢＤにダビングする場合、ＢＤメディアはＭＰＥＧ２−ＴＳで記録する必要があるために、ＭＰＥＧ２−ＰＳからＭＰＥＧ２−ＴＳへストリーム形式を変換しながらデータを転送して記録する必要がある。同様に、ＨＤＤにＭＰＥＧ２−ＴＳで記録されている番組をＤＶＤにダビングする場合、ＤＶＤはＭＰＥＧ２−ＰＳで記録する必要があるために、ＭＰＥＧ２-ＴＳからＭＰＥＧ２−ＰＳへストリーム形式を変換しながらデータを転送して記録する必要がある。
【０００９】
ところが、ＰＳとＴＳのデータパケット構造は異なり、相互のストリーム形式を変換するためには高速にパケットデータを再構築するための高価なハードウェアが必要である。このため、ストリーム形式を高速変換するハードウェアを実装しない場合はユーザが要望する高速ダビング機能を提供できない場合があるという課題を有している。
【００１０】
また、例えばデジタル放送のＭＰＥＧ２−ＴＳのデータ転送レートはＤＶＤメディアの最大データ転送レートを超えているため、ＨＤＤにＭＰＥＧ２−ＴＳでダイレクトに記録したデジタル放送ソースをＤＶＤメディアにダビングする場合、仮に高速ストリーム形式変換を行ったとしても、正常にダビングすることはできないという課題も有している。
【特許文献１】特許第３１２３３０２号公報
【発明の開示】
【発明が解決しようとする課題】
【００１１】
解決しようとする問題点は、記録ストリーム形式の異なるメディアが存在するために、ユーザが要望するダビングを高速化できない場合が存在する点である。
【課題を解決するための手段】
【００１２】
本発明は、ストリーム変換手段を持たずに、記録ストリーム形式が限定されるメディアへのユーザの意図する高速ダビングを可能とするために、記録ストリーム形式を録画前にユーザが用途に合わせて設定する手段を有することを最も主要な特徴とする。
【発明の効果】
【００１３】
本発明のデータ記録装置は、放送番組の記録時点で記録ストリーム形式をユーザが用途に合わせて選択・設定するため、ユーザの意図するダビングを高速に実行できるという利点がある。
【００１４】
また、ダビング実行時にストリーム形式や転送レート等のストリーム特性を自動変換するため、より容易な操作でダビングを実行できるという利点も有する。
【発明を実施するための最良の形態】
【００１５】
（実施の形態１）
図１は、本発明の第一の実施形態における動作を示すブロック図である。
【００１６】
図１において、１００はＡＶソースをＭＰＥＧ２−ＴＳ及びＰＳで出力するストリーム出力回路であり、デジタルチューナ１０１、トランスポートデコーダ１０２、ＭＰＥＧ２−ＴＳデコーダ１０３、アナログチューナ１０４、アナログ入力端子１０５、ＡＧＣ１０６、映像及び音声のＡ／Ｄコンバータ１０７、ＤＶカメラ入力端子１０８、ＤＶデコーダ１０９、ＭＰＥＧ２−ＰＳエンコーダ１１０、およびＭＰＥＧ２−ＴＳエンコーダ１１１で構成されている。
【００１７】
デジタルチューナ１０１の出力する複数チャンネルの放送番組が含まれたＭＰＥＧ２−ＴＳはトランスポートデコーダ１０２に入力される。トランスポートデコーダ１０２は入力されたＭＰＥＧ２−ＴＳから所望のチャンネルの放送番組のみを抽出したＭＰＥＧ２−ＴＳを生成し、ＭＰＥＧ２−ＴＳデコーダ１０３に供給する。ＭＰＥＧ２−ＴＳデコーダ１０３は供給されたＭＰＥＧ２−ＴＳをベースバンドのデジタル信号に変換する。
【００１８】
アナログチューナ１０４とアナログ入力端子１０５は、ともに入力信号のＳｙｎｃおよびデータの振幅レベルを自動調整するＡＧＣ（Ａｕｔｏ  Ｇａｉｎ  Ｃｏｎｔｒｏｌ）１０６を介して、Ａ／Ｄコンバータ１０７に接続されている。Ａ／Ｄコンバータ１０７は、アナログの音声及び映像信号をデジタル変換し、ベースバンドのデジタル信号として出力する。
【００１９】
ＤＶカメラ入力端子１０８は、ＤＶデコーダ１０９に接続され、ＤＶデコーダ１０９はＤＶフォーマットのＡＶデータをベースバンドのデジタル信号に変換する。
【００２０】
Ａ／Ｄコンバータ１０７の出力とＤＶデコーダ１０９の出力は、ともにＭＰＥＧ２−ＰＳエンコーダ１１０とＭＰＥＧ２−ＴＳエンコーダ１１１に供給される。
【００２１】
ＭＰＥＧ２−ＰＳエンコーダ１１０には、Ａ／Ｄコンバータ１０７とＤＶデコーダ１０９以外に、ＭＰＥＧ２−ＴＳデコーダ１０３からのベースバンドデジタル信号出力も供給されており、これら３つの信号から１つを選択してＭＰＥＧ２−ＰＳに変換する。またＭＰＥＧ２−ＴＳエンコーダ１１１は、Ａ／Ｄコンバータ１０７とＤＶデコーダ１０９から供給された２つの信号から１つを選択してＭＰＥＧ２−ＴＳに変換する。
【００２２】
２００は、ストリーム出力回路１００の出力するストリームからＴＳまたはＰＳの選択を行うストリーム形式選択スイッチであり、ＰＳ入力としてＭＰＥＧ２−ＰＳエンコーダ１１０の出力が、ＴＳ入力としてトランスポートデコーダ１０２の出力とＭＰＥＧ２−ＴＳエンコーダ１１１の出力がそれぞれ供給されている。
【００２３】
３００はストリーム形式選択スイッチ２００で選択したストリームを記録する記録制御部であり、記録媒体３０１と、記録制御回路３０２とで構成されている。
ストリーム形式選択スイッチ２００が出力するＴＳまたはＰＳストリームは、記録制御回路３０２を介して、ＨＤＤ３０１に供給されており、記録制御部３０２によってＨＤＤ３０１へのストリーム記録が制御される。
【００２４】
４００は記録制御部３００に記録されたストリームをＢＤやＤＶＤ等の他のメディアにＭＰＥＧ２圧縮されたままデータ転送する高速ダビング制御部であり、ＢＤ／ＤＶＤ共用ドライブ４０１とダビング制御回路４０２とで構成されている。
【００２５】
以上のように構成された第一の実施例について、以下にその動作を説明する。
【００２６】
本実施例のデータ記録装置では、ＡＶソースを供給する放送チューナとして、デジタルＢＳ、デジタルＣＳ、地上デジタル等のデジタルチューナ１０１と、アナログ地上波チューナ１０４を搭載している。さらに、記録メディアとしては、ＨＤＤ３０１のほかにＢＤ／ＤＶＤ共用ドライブ４０１においてＢＤメディア、ＤＶＤ−ＲＡＭ、ＤＶＤ−Ｒ等のＤＶＤメディアに対応している。
【００２７】
なお、ＨＤＤ３０１はＭＰＥＧ２−ＴＳ、ＭＰＥＧ２−ＰＳどちらでも記録再生可能であるため、デジタル放送チューナ１０１が出力するＭＰＥＧ２−ＴＳをダイレクトにＨＤＤ３０１に記録しておくことにより、放送視聴時と同じ品位で映像および音声を再生することもできる。
【００２８】
ユーザの操作例として、デジタル放送を一旦ＨＤＤに録画しＢＤにダビングする場合を考える。この場合、ユーザはあらかじめ放送記録時にストリーム形式選択スイッチ２００の『ダビングモード』を『ＢＤダビング用』に設定しておく。この設定により、ＨＤＤ３０１へはデジタル放送番組がＭＰＥＧ２−ＴＳのまま記録される。ＢＤの記録ストリーム形式はＭＰＥＧ２−ＴＳであるため、この記録番組をＢＤメディアにダビングする場合、ストリーム変換等を行うことなく直接データ転送によるダビングが可能なため、高速にダビングを実行することができる。なお、放送番組に著作権情報として『１回のみコピー可（Ｃｏｐｙ  Ｏｎｃｅ）』が付加されていた場合は、Ｍｏｖｅ動作となるためダビング元のＨＤＤからは記録番組は消去される。
【００２９】
また、第二のユーザの操作例として、デジタル放送を一旦ＨＤＤに録画し。ＤＶＤ−ＲＡＭにダビングする場合を考える。この場合、ユーザはあらかじめ放送記録時にストリーム形式選択スイッチ２００で『ダビングモード』を『ＤＶＤダビング用』に設定しておく。この設定により、ＨＤＤへはデジタル放送番組がＭＰＥＧ２−ＴＳからＭＰＥＧ２−ＰＳにエンコードして記録され、さらにデータ転送レートはＤＶＤ−ＲＡＭの上限を超えないよう制御される。ＤＶＤメディアの記録ストリーム形式はＭＰＥＧ２−ＰＳであるため、この記録番組をＤＶＤ−ＲＡＭにダビングする場合、ストリーム変換等を行うことなく直接データ転送によるダビングが可能なため、高速にダビングを実行することができる。なお、放送番組に著作権情報として『１回のみコピー可（Ｃｏｐｙ  Ｏｎｃｅ）』が付加されていた場合は、Ｍｏｖｅ動作となるためダビング元のＨＤＤ３０１からは記録番組は消去される。
【００３０】
このように、録画時にユーザがあらかじめ将来ダビングするメディアを想定してダビングモードを設定することにより、所望のメディアへの高速ダビングを行うことができる。また、アナログ放送を記録する場合も同様の操作を行えば、ＢＤおよびＤＶＤメディアへの高速ダビングが可能である。
【００３１】
以上のように、記録時にストリーム形式選択スイッチ２００であらかじめダビングに適したストリーム形式を選択しておくことにより、ダビング実行時の高速化を実現することができる。
【００３２】
（実施の形態２）
図２は、本発明のデータ記録装置の第二の実施形態における動作を示すブロック図である。
【００３３】
図２において、５００はダビング元のＡＶストリームを出力するストリーム読み出し部であり、ＡＶストリームを格納するＨＤＤ５０１と、ＨＤＤ５０１から所定のストリームを読み出して出力する読み出し制御部５０２で構成されている。
６００は、ＨＤＤ５０１のストリームの複製を生成する複製ストリーム生成部であり、ＢＤ／ＤＶＤ共用ドライブ６０１と記録制御部６０２で構成されている。
【００３４】
７００は、ダビング先のメディアの特性に応じて、ダビングするストリームのストリーム形式と転送レートの上限を制御するストリーム特性制御部であり、ＰＳ→ＴＳエンコーダ７０１、ＴＳ→ＰＳエンコーダ７０２、ストリーム切替ＳＷ７０３、メディア検出部７０４、上限データレート制御部７０５、ストリーム形式検出部７０６、ダビングストリーム形式制御部７０７で構成される。
【００３５】
読み出し制御部５０２の出力するＡＶストリームはＰＳ→ＴＳエンコーダ７０１と、ＴＳ→ＰＳエンコーダ７０２と、ストリーム切替ＳＷ７０３に供給されており、ストリーム切替ＳＷの選択出力は記録制御部６０２に供給されている。
【００３６】
メディア検出部７０４は、ＢＤ／ＤＶＤ共用ドライブ６０１に装填されているメディア種別を検出して上限データレート制御部７０５に供給し、ＢＤメディアのレート上限値がＰＳ→ＴＳエンコーダ７０１に、ＤＶＤメディアのレート上限値がＴＳ→ＰＳエンコーダ７０２に、それぞれ供給される。
【００３７】
ストリーム形式検出部７０６は、読み出し制御部５０２の出力するＡＶストリームのストリーム形式を検出してダビングストリーム形式制御部７０７に供給する。
ストリーム形式制御部７０７は、ストリーム検出部７０６のほかにメディア検出部７０４からの装填メディア情報も供給されており、ストリーム切替ＳＷ７０３の出力ストリームを選択制御する。
【００３８】
以上のように構成された第二の実施形態におけるデータ記録装置について、以下にその動作を説明する。
【００３９】
本実施例のデータ記録装置では、ＨＤＤ６０１に記録されているＡＶソースのストリーム形式は、ＭＰＥＧ２−ＴＳとＭＰＥＧ２−ＰＳとが混在しているものとする。
【００４０】
ユーザの操作例として、ＨＤＤ内のＭＰＥＧ２−ＴＳストリームをＤＶＤへダビングする場合を考える。
【００４１】
ＢＤ／ＤＶＤ共用ドライブ６０１にＤＶＤ−ＲＡＭが装填され、メディア検出部７０４によって、装填されたメディア情報が上限データレート制御部７０５とダビングストリーム形式制御部７０７に通知される。また、ダビング元であるＡＶストリームは読み出し制御部５０２から出力され、ストリーム形式がＭＰＥＧ２−ＴＳであることがストリーム形式検出部７０６で検出され、ダビングストリーム検出形式部７０７に供給される。
【００４２】
これらの２つの情報を受け取ったダビングストリーム検出部７０７は、ダビング元のストリーム形式であるＭＰＥＧ２−ＴＳをダビング先のストリーム形式であるＭＰＥＧ２−ＰＳに変換するために、ストリーム切替ＳＷ７０３に対して、ＴＳ→ＰＳエンコーダ７０２の入力を選択出力するよう制御する。
また、上限データレート制御部７０５は、ダビング先メディアがＤＶＤであるため、ＴＳ→ＰＳエンコーダ７０２に対して、ＭＰＥＧ２−ＰＳエンコード時の転送レートの上限がＤＶＤメディアの上限になるよう制御する。
【００４３】
なお、上限データレート制御部７０５は、本実施例においては入力されたＭＰＥＧ２−ＴＳを一旦ベースバンド信号へデコードし、再度ＭＰＥＧ２−ＰＳにエンコードする構成であるとする。
【００４４】
以上のように、ダビング元ストリームとダビング先メディアの情報とから、必要なストリーム形式とデータ転送レートの上限を制御することにより、正しいストリーム形式でデータ転送レートエラーを発生させることなく、ダビングを実行することができる。
【産業上の利用可能性】
【００４５】
本発明は、デジタル放送チューナ内蔵ＨＤＤ内蔵ＤＶＤレコーダのみならず、さまざまな形態のデジタルダビング機器およびシステムに適用できる。
【図面の簡単な説明】
【００４６】
【図１】データ記録装置の第一の実施方法を示した説明図
【図２】データ記録装置の第二の実施方法を示した説明図
【符号の説明】
【００４７】
１００    ストリーム出力手段
１０１    デジタルチューナ
１０２    トランスポートデコーダ
１０３    ＭＰＥＧ２ＴＳデコーダ
１０４    アナログチューナ
１０５    アナログ入力部
１０６    ＡＧＣ
１０７    Ａ／Ｄ変換部
１０８    ＤＶ入力部
１０９    ＤＶデコーダ
１１０    ＭＰＥＧ２ＰＳエンコーダ
１１１    ＭＰＥＧ２ＴＳエンコーダ
２００    ストリーム形式選択スイッチ
３００    記録制御部
３０１    ＨＤＤ
３０２    記録制御部
４００    ダビング制御部
４０１    ＤＶＤ／ＢＤ共用ドライブ
４０２    ダビング制御回路
【図１】
2007266651.tif 000003
【図２】
2007266651.tif 000004